(57)【特許請求の範囲】
【請求項１】
電力供給電子ユニット（２２、２２２、３３２）と、生体内挿入用の遠端及び前記電子ユニット（２２、２２２、３３２）への電気接続用の近端を備える電線（１１）と、該電線（１１）の近端に接続されるセンサ（１４、５０２、４０６）とを備える、生体内の生理学的変数を血管内で測定するためのシステムであって、
前記センサ（１４、５０２、４０６）に接続された体内電極（１７；１１７、１１３Ｂ；３１７；４０５）であって、測定サイトに配置されると、身体組織と物理的且つ電気的に接触するための部分を有する体内電極と、
前記電子ユニット（２２、２２２、３３２）への電気接続するための第２の電極（２１、２４；２２１；３２）であって、前記生体の第２の部分に電気的に接触するための部分を有する第２の電極と、
を具備し、電気信号を前記電線から前記センサと前記体内電極と前記身体組織とを通して前記第２の電極へ伝達するようなされたことを特徴とするシステム。
【請求項２】
前記身体内挿入用の電線（１１）はガイドワイヤを通って延出びる芯線である、請求項１記載のシステム。
【請求項３】
前記電気ユニット（２２、２２２、３３２）は、前記身体組織を介してＡＣ電圧で前記センサ（１４）に電力供給するためのＡＣ電力を含む、請求項１又は２記載のシステム。
【請求項４】
前記ＡＣ電圧は２〜１０Ｖの範囲内であり、周波数は１００ｋＨｚ〜１ＭＨｚの範囲である、請求項３記載のシステム。
【請求項５】
前記電子ユニット（２２、２２２、３３２）はＤＣ電源を含む、請求項１又は２記載のシステム。
【請求項６】
前記第２の電極は、前記身体内挿入用の遠端に電極部分（３２）を有する第２の電線（３１）である、請求項１〜５のいずれか１つに記載のシステム。
【請求項７】
ガイドワイヤ（２１０）に沿って延びる電線（１１）と、前記ガイドワイヤ（２１０）の遠端において該電線（１１）と接続する、圧力センサと温度センサとのうちのいずれかのセンサ（１４、２１４，５０２、４０６）とを備える、生体内の生理学的変数を血管内で測定するためのガイドワイヤ（２１０）であって、
体内電極（１７；１１７、１１３Ｂ；３１７；４０５）が前記センサ（１４、５０２、４０６）に接続され、該体内電極（１７；１１７、１１３Ｂ；３１７；４０５）が、測定サイトに配置されると身体組織と物理的且つ電気的に接触するための部分を有することを特徴とするガイドワイヤ。
【請求項８】
前記電線（１１）は前記ガイドワイヤ（２１０）を通って延びる芯線である、請求項７記載のガイドワイヤ。
【請求項９】
前記ガイドワイヤ（２１０）の遠端の周囲に配置されるコイル（１１３Ｂ）が前記センサに接続され、前記体内電極として機能する、請求項７又は８記載のガイドワイヤ。
【請求項１０】
前記ガイドワイヤ（２１０）に沿って延びる第２の電線（３１）が取り付けられ、該第２の電線（３１）は、前記ガイドワイヤ（３１）の遠端付近に、身体組織と物理的且つ電気的に接触するための電極部分（３２）を有することを特徴とする、請求項７又は９に記載のガイドワイヤ。
【発明の詳細な説明】
【０００１】
【発明の属する技術分野】
本発明は、血管内検査用のガイドワイヤ組立体に関するものである。
【０００２】
【従来の技術】
ガイドワイヤ上にセンサを取り付け、ガイドワイヤを介してセンサを生体内の血管内に配置して、圧力又は温度等の物理的なパラメータを検出することが知られている。センサは、パラメータに直接又は間接的に敏感な素子を備える。例えば、温度に敏感な抵抗を有する導体の抵抗を観察することで、又は、既知の温度関連伸び率を有する素子の長さを観察することで、温度を測定することができる。
【０００３】
身体内でのセンサの状態を監視するために、ある種の通信手段が必要である。場合によっては、センサ及び／又は通信手段に電力を供給する手段も必要である。したがって、センサに電力供給し且つセンサと通信するために、測定信号を伝送する複数のケーブルがセンサに接続され、該ケーブルは、コネクタ組立体を介して血管から外部監視ユニットに出るようガイドワイヤに沿って導かれる。さらに、ガイドワイヤには、典型的にはセンサの支持及び接地電位の導体として機能する中心金属線（芯線）が備えられる。
【０００４】
しかし、多数のケーブルを使用する場合、芯線を少なくとも部分的に、ケーブルを収容する管状セクションで置換する必要がある。このセクションは、ガイドワイヤの脆弱な部分を形成し、血管内での操作中に曲がったり非対称的な動きをするなどの危険性を示す。また、従来のガイドワイヤ組立体は、非常に難しい手操作での組み立て手順を必要とする点において、問題を呈する。極端に小型のコンポーネントを顕微鏡の下で組み立てなければならず、これは単調で退屈かつ労働集約的である。
【０００５】
この問題を検討した改良型ガイドワイヤが、欧州特許出願第０９２５８０３号に記載されており、これは本出願の独立クレームのプリアンブルの基礎を形成している。欧州特許出願第０９２５８０３号には、概して管状の導体を芯線を中心として同軸的に配置することで、製造工程の単純化を可能にするガイドワイヤが記載されている。しかし、かかるガイドワイヤの製造は、依然として比較的時間がかかるとともに高価であり、複雑なコネクタを必要とする。また、センサ付きで操作が容易なガイドワイヤに対する必要性も依然として残っている。
【０００６】
【発明が解決しようとする課題】
したがって、操作が容易で安価で使用しやすいワイヤ通信システムに対する必要性が絶えず存在するため、物理的特性センサを備える単純化したガイドワイヤ組立体がなお必要とされている。
【０００７】
【課題を解決するための手段】
本発明の目的は、製造及び操作が容易なガイドワイヤを備えた、生体内の生理学的変数を血管内で検査するためのシステムを提供することである。この目的は、請求項１記載のシステム及び請求項７記載のガイドワイヤを用いて、達成される。
【０００８】
本発明によれば、生体内の生理学的変数を測定するためのセンサを備えたガイドワイヤの電気導体の数を低減することができ、これにより製造及び使用が容易なガイドワイヤが提供される。また、本発明に係るガイドワイヤ及びシステムを使用する生理学的変数測定方法が、請求項１１に従って提供される。
【０００９】
本発明の適用可能性のさらなる範囲については、以下に与えられる詳細な説明から明らかになろう。しかし、詳細な説明及び具体例は、本発明の好ましい実施の形態を示しながら、例示のためにのみ与えられる。当業者には、この詳細な説明から、本発明の精神及び範囲内の各種変更及び変形が明らかになろう。本発明は、例示のためにのみ与えられており、本発明を制限するものではない添付図面を含む詳細な説明から、一層完全に理解されよう。
【００１０】
まず、本発明に係るガイドワイヤについて説明する。一般に、本発明によれば、動作に電気エネルギを必要とするセンサが、絶縁された電線の遠端に接続される。また、体内電極がセンサに直接接続され、又は、センサに接続された電子回路を介してセンサに接続される。体内電極は、身体内に挿入されているとき、血液等の生体組織に接して配置されるようになされる。即ち、体内電極は、患者に挿入されると身体組織に直接接するための部分を備える。
【００１１】
使用時、電線の近端を電源に接続した状態で、センサが生体内に挿入され、センサ及び体内電極が、測定を行う身体内のサイトに配置される。したがって、体内電極は、生体に接して、具体的には血液等の身体組織に接して配置され、身体組織との電気接続を得る。閉電気回路を得るために、第２の電極が電源に接続され、体内電極付近に運ばれる。第２の電極は、当分野において周知であるように、患者に対して直接に或いは導電性強化媒体を介して物理的及び電気的に接続する部分を備える。
【００１２】
本発明の一つの実施の形態において、これは、ＥＣＧ電極の適用と同様に、電極を測定サイトの外側の患者の皮膚上に配置することで行われる。この実施の形態では、電気回路は、患者の内部組織及び皮膚を介して閉じている。本発明の別の実施の形態においては、第２の電極の遠端が測定サイト付近に配置され、患者の身体組織に接するように、第２の電極も挿入されることで、電気回路は閉じられる。この実施の形態では、電気回路は患者の組織、典型的には血液を介して内部で閉じられる。
【００１３】
センサならびに電極を、適宜のカニューレ又は導入器等の中空管を介して身体内の任意の適切なサイトに挿入することが可能である。好ましい実施の形態においては、センサ、追加の電子回路、体内電極、電線及び第２の電極はガイドワイヤ構造上に取り付けられ、典型的には大腿動脈を介して挿入される。
【００１４】
最も好ましい実施の形態においては、電線は、ガイドワイヤの芯線と一体化される。芯線を電線として用いることで、コンポーネント数を低減するという利点が得られる。これは、ガイドワイヤに適切な剛性を与えるために、ガイドワイヤに沿って軸方向に延びるこのような金属製芯線が、ガイドワイヤには通常存在するからである。したがって、本明細書では、電線としての芯線を有するガイドワイヤの使用について簡略化のために説明するが、本明細書に記載のセンサと通信するための方法は、ガイドワイヤに沿って走る又はガイドワイヤから隔たれた別個の電線を用いて実施されてもよいことは明らかである。
【００１５】
本発明に用いられる電源は、患者の身体外に設置される電子ユニットである。電気ユニットは、後述するように、患者の身体を部分的に含む電気回路を通して適切な電流を提供することが可能である。さらに、後述するように、電子ユニットには、センサ回路からの出力信号を解釈して提示するための電子回路が設けられることが好ましい。
【００１６】
次に、本発明のガイドワイヤの一つの実施の形態について、図１を参照して説明する。図１は、本発明によるガイドワイヤ１０の遠端の断面を示すものである。典型的にはステンレス鋼又はニチノル（登録商標）等の超弾性合金の芯線１１は、ガイドワイヤの中心軸を通って延びる。芯線１１は、パリレン（登録商標）、シリコン、テフロン（登録商標）、ポリイミド、ポリウレタン、又はセラミックコーティング等のポリマーである絶縁層１２でコーティングされる。
【００１７】
近位コイル・セクション１３Ａ及び遠位コイル・セクション１３Ｂは、芯線の遠端を覆う。近位コイル・セクション１３Ａは、ガイドワイヤの端部に滑らかな表面と適切な剛性を提供するよう機能し、典型的にはステンレス鋼製である。遠位コイル・セクション１３Ｂは、Ｘ線不透明性も提供するという点を除き、近位セクションと同様であり、典型的にはプラチナから製造される。該コイルは、組合わされて、ガイドに均一な外径を提供し、ガイドワイヤの動脈への導入を容易にするよう機能する。動脈に挿入されているときに、コイルには、ガイドワイヤの端部を取り巻く血液に貫入することができる。ガイドワイヤの先端は、はんだ付けされた円弧形の先端１６で閉じられている。
【００１８】
コイル・セクションの構成を説明するのは、現在用いられている典型的なガイドワイヤの遠端の形状を示すためである。しかし、コイル・セクションは、本明細書の実施にそれ自体は必要ではないが、後述するように、本発明の一つの実施の形態の一部として利用することができる。
【００１９】
センサ１４は芯線に取り付けられ、接続点１５を介して芯線に電気接続される。センサは、決定すべき物理的特性に敏感なコンポーネントに加えて、センサとして適切かつ有用に機能するために必要な任意の電子回路、ならびにセンサ出力信号をキャリア電圧信号に重畳するための回路を備える。このような重畳のための回路はそれ自体当業者に周知であり、電圧／周波数コンバータ、アナログ／デジタルコンバータ、パルス幅変調器及びデルタ変調器等の装置が含まれる。
【００２０】
関連回路を備えたセンサの一つの実施の形態の一例を、図１１に示す。ここでは、整流器５０１、センサ素子５０２及び緩和発振器５０３が直列接続されて示されている。整流器５０１の入力は、接続点５０４を介してガイドワイヤの芯線に接続される。緩和発振器５０３の出力は、接続点５０５を介して体内電極に接続される。また、整流器５０１及びセンサ素子５０２は体内電極に接続される。緩和発振器５０３は、正弦波発振器とは反対に、方形波を生成する。即ち、出力信号が、最小レベル（デジタル「ゼロ」）から最大レベル（デジタル「１」）に移行する。文献では「非安定マルチバイブレータ」としても知られるかかる発振器の発振周期即ちパルス幅は、通常、１つ又はいくつかの特性時定数ＲＣ（但し、Ｒは抵抗値、Ｃは容量値である）によって特徴付けられる抵抗−容量回路で制御することができる。したがって、抵抗センサ又は容量センサを用いて、発振器の周期即ちパルス幅を制御することができる。
【００２１】
再度、図１を参照すると、センサ１４からの出力信号は、信号出力電極１７を介して周囲の血液に伝達される。信号出力電極１７は、少なくとも部分的に絶縁されておらず、一端においてセンサ１４に接続されてセンサ回路からの出力を伝達し、他端は、コイル・セクション１３Ａ、１３Ｂのいずれかの間の周囲の血液に延びる。芯線は絶縁されているため、電極１７は、芯線の電位による干渉を受けない。
【００２２】
図２は、信号出力電極の代替の実施の形態１１７を示し、図２では、図１のコンポーネントとは異なるコンポーネントに参照符号を付してある。図２によれば、信号出力電極１１７は、１つのコイル・セクション１１３Ｂに接続され、又は、その一部を形成する。周囲の体液との接触が可能であるように、コイル・セクションの一方が有用である期間、選択されたセクションの少なくとも一部は、絶縁されるべきではない。この代替の実施の形態を用いると、身体の周囲部分に適切に接するよう保証する単純な設計が得られる。
【００２３】
図１に示すガイドワイヤ等、本発明によるガイドワイヤ１０の使用を、図３に概略的に示す。ガイドワイヤ１０は患者２５の大腿動脈に挿入される。身体内のガイドワイヤ１０、センサ１４及び信号出力電極１７の位置は、点線で示されている。
【００２４】
ＥＣＧ電極と同様の外部電極２１は、センサ回路１４の位置付近の患者２５の皮膚に取り付けられる。外部電極２１は、電線２４を介して電子ユニット２２に接続される。ガイドワイヤ１０、より具体的にはその芯線１１はワニ口タイプのコネクタ又は他の任意の既知のコネクタ等、任意の適切なコネクタ手段（図示せず）を用いて芯線に接続されたケーブル２６を介して、電子ユニット２２に接続される。
【００２５】
電子ユニット２２は、ワイヤ２６、ガイドワイヤ１０の芯線１１、センサ回路１４、信号出力電極１７、患者の血液又は他の組織２３、電極２１及びケーブル２４を含む回路に電圧を提供する。
【００２６】
使用時、センサ１４は、例えば図３を参照して上述したように患者に挿入され、電極２１は、上述したように、例えば患者の皮膚を介して信号出力電極１７のおおよそ上に設けられる。ガイドワイヤを導入する方法、ならびに、患者の皮膚に設けられる電極を適切に導通するよう取り付けるために必要な方法は、当業者に周知である。芯線１１及び電極２１は電子ユニット２２に接続される。
【００２７】
電圧印加により患者の組織を通して発生する電流は、人体を通して安全に伝達されるよう、十分に低い必要がある。国際規格ＩＥＣ６０１−１（１９９８）、第１９章に従って許容可能な値を選択することが好ましい。弱いＤＣ電圧を用いることが可能であるが、身体を通る有用な高い電流、例えば患者の健康を危険にさらすことなく１０ｍＡまでの電流を許容できるようにする、１ｋＨｚよりも高い周波数を有する交流電圧を得るために、ＡＣ電圧を用いることが好ましい。
【００２８】
非常に単純な実施の形態において、上記説明に対応し且つ図４に概略的に示すように、身体内の温度を測定する場合、センサは、温度と抵抗の間に既知の関係を有する温度に敏感な抵抗器２１４であり、その一端は（図１の接続点１５に相当する）芯線２１１に接続され、その他端は信号出力電極２１７に接続される。該センサは、かなり概略的に点線２２３で示されるように、身体に挿入される。身体外の電子ユニット２３２は、ケーブル２６、芯線２１１、信号出力電極２１７、身体組織２３３及び身体２３３の皮膚上に配置された電極２２１を介して、センサ２１７に電圧を提供する。
【００２９】
電子ユニット２３２が提供する電圧は、ＡＣ電圧であっても、ＤＣ電圧であってもよい。電子ユニット２３２はまた、身体を介して回路の全体抵抗を記録する手段も備える。かかる手段は周知であり、本明細書では説明しない。全抵抗を測定してセンサの温度−抵抗の関係を知ることによって、センサにおける温度を容易に計算することができる。
【００３０】
この実施の形態の主な利点は、単純さである。しかし、精度及び信頼性が低いという欠点を有する。こういった欠点は、監視回路内の他の抵抗、例えば、皮膚電極２２１の結合インピーダンスからの影響の結果である。概して、ＡＣ電圧を印加する場合、センサは通常、検査する物理的パラメータに敏感であるとして選択されたセンサを駆動するために、ＡＣ電圧をＤＣ電圧に変換する整流器を含む回路に接続される。かかる用途において使用され、心臓血管圧力の測定に有用な一例は、Transducers '87 (The 4th international conference on solid state sensors and actuators)、p. 344におけるH. Chau及びK. D. Wiseによる「心臓血管カテーテルのための超小型固体圧力センサ（An ultraminiature solid-state pressure sensor for a cardiovascular catherter）」に記載されている。
【００３１】
上述したように、センサの出力信号は、監視した物理的パラメータのレベルを表す情報が、電子ユニットにより提供される信号に重畳されるように、センサに接続された回路によって処理される。電子ユニットは、重畳した信号に基づいて、検査したパラメータの値を計算する回路を備える。かかる電子ユニット３３２の一つの実施の形態が図５に示されており、図５では、ガイドワイヤ組立体が、電気信号を患者の組織３２６を介して提供するために、芯線３２１、センサ・ユニット３０３、及び体内電極３１７によって概略的に表される。ガイドワイヤ組立体は患者（点線３２５で示す）に導入される。電子ユニット３３２は、ケーブル２６を介して芯線３２１に、また、組織及び第２のケーブル２４を介して身体外に接続される。
【００３２】
電子ユニット３３２は、典型的には１００ｋＨｚ〜１ＭＨｚの範囲の周波数において２〜１０Ｖの範囲のＡＣ電圧を提供する駆動発振器３１０を備える。駆動発振器３１０は、第１の変圧器３０２を駆動する駆動増幅器３０１に接続され、第１の変圧器３０２は身体を通して非直流的に回路に接続されて供給電圧を提供する。また、非直流的に身体を通して回路に接続される第２の変圧器３０４は、重畳信号の検出のために使用される。信号は増幅器３０５で増幅され、挟帯域フィルタ３０６を用いて低周波及び高周波の干渉を除去する。帯域フィルタ３０６は、例えば、いわゆる位相感知増幅器又は同期増幅器でありうる。
【００３３】
シュミットトリガ（又はコンパレータ）３０７は帯域フィルタ３０６の出力に接続され、選択された電圧閾値レベルにおいてトリガする（デジタル「１」を送出する）。デジタルのマイクロプロセッサ３０８は、トリガパルスをクロックパルス発生器３０９と相関させ、連続したトリガパルス間のクロックパルスの数を数える。
【００３４】
図６Ａから図６Ｅは時間軸に関して相互に連結しており、図５によるセットアップにおいてセンサ・ユニット３０３によって提供される測定信号の復号動作を示す。センサ・ユニット３０３は、発振器を含むユニットであり、図１１を参照して上述したセンサ回路に相当する。
【００３５】
図６Ａは、センサ・ユニット３０３からの発振器出力信号を示す。測定条件、即ち測定された変数は、パルス幅Ｔ１、Ｔ２を決定する。
図６Ｂは、センサ・ユニット３０３の電力消費を示す。電力消費は本質的に一定であり、センサ発振器の「０」から「１」又はこの逆の移行と時間的に一致するピークが重畳される。
【００３６】
図６Ｃは、シュミットトリガ３０７からの出力信号を示す。トリガ閾値は、図６Ｂにおける水平の点線として示される。
図６Ｄは、時間間隔Ｔ１を決定するためにマイクロプロセッサ３０８によって計算される、クロックパルス発生器３０９からのクロックパルスを示す。
【００３７】
図６Ｅは、時間間隔Ｔ２を決定するためにマイクロプロセッサ３０８によって計算される、クロックパルス発生器３０９からのクロックパルスを示す。
したがって、センサ及び対応回路によって符号化された時間間隔を決定することで、身体組織を通過する電気信号を介して、測定された生理学的変数についての情報を得ることができる。
【００３８】
図９は、音響センサを備える本発明の一つの実施の形態を示す。先の実施の形態とともに示したように、ガイドワイヤ４１０には、絶縁層４０２でカバーされた芯線４０１が備えられる。ガイドワイヤの遠端は、上述したものと同様に、丸くなった先端４０４と本発明に係る信号出力電極として作用するコイル４０３とを備える。ＰＺＴ（ジルコン酸チタン酸塩）板等の圧電性セラミック板４０７は芯線に、そして信号出力電極４０３に接続される。マイクロ機械式音響共振器４０６は、圧電性セラミック板４０７に取り付けられる。共振器は、共振周波数が測定する生理学的変化に依存するようなものを選択すべきである。有用なミクロ機械式音響共振器の例は、H. Guckel他に付与された「ポリシリコン共振ビーム・トランスジューサ及びその製造方法（Polysilicon resonating beam transducers and methods of producing the same）」という名称の米国特許第５，１８８，９８３号に記載されている。
【００３９】
上述したように、圧電性セラミック板４０７は、身体組織を介して提供される交流電圧によって付勢されると、共振器４０６に転送される機械振動で応答する。図１０に示すように、共振振動数ｆ１又はｆ２において（直列共振又は並列共振に対応する）、ピーク点及び谷底点はそれぞれ、電気インピーダンスに現れる。電気インピーダンスは、図５を参照して上述したユニットに相当する外部電子ユニットによって検出され、その結果として、探し求めている生理学的変数を計算することができる。
【００４０】
このように、患者の身体内の物理的パラメータを決定するための、本発明によるガイドワイヤ組立体及び通信システムでは、ガイドワイヤに設けられる１本の電線を使用して、身体内のセンサにより検出した生理学的変数に関する情報を転送することができる。これは、本発明によれば、本発明によるガイドワイヤと協働して導体として機能する血液及び皮膚等患者の組織を用いることによって得られる。
【００４１】
本発明によるガイドワイヤ組立体は、少数のコンポーネントを用いて非常に単純に製造される。センサ回路は、関連する体内電極とともに、はんだ付け等、任意の適した従来の方法を用いて、ガイドワイヤの遠端において芯線の露出セクションに容易に接続される。追加のケーブルを必要とせずに、任意の適宜のコネクタ手段を用いて、芯線を電子ユニットに接続することができる。さらに、上記実施の形態に示したように、本発明は、芯線以外の導線がないため、ガイドワイヤを血管内に配置する期間、良好な操作性を可能にするよう、適切な柔軟性及び対称性が提供されるセンサガイドワイヤ設計を可能にする。
【００４２】
２重線の実施の形態と呼ぶ本発明の別の実施の形態が図７の概略図に示される。図７によれば、ガイドワイヤ２１０は、例えば絶縁された芯線１１を備える点において、図１のガイドワイヤ１０と同様であるが、それに加えて、絶縁された第２の導線３１を備えている。遠位部分では、ガイドワイヤの遠端付近において、第２の導線３１から絶縁性が除去され、導体を露出させて電極３２が形成される。
【００４３】
図８に示すように、患者の身体２５に挿入されると、ガイドワイヤ２１０の芯線１１が、第１の実施の形態の電子ユニット２２と同様の電子ユニット２２２に接続される。第２の導線３１も電子ユニット２２２に接続される。同時に、絶縁された第２の導線の電極３２がガイドワイヤとともに身体に挿入され、患者の体液に接する。使用時、芯線１１、センサ（及び任意の追加の電子回路）１４、信号出力電極１７、導線３１、電極３２、接続リード線２４、２６及び電子ユニット２２２を含む電気回路は、身体組織２３即ち患者の血液を介して閉じられる。
【００４４】
このため、先の実施の形態について説明したのと同様に、電気回路は患者の身体組織を含む。しかし、２重線の実施の形態では、患者の皮膚を通して電気が伝達されず、患者の皮膚に電極が設けられない。その代わり、信号出力電極１７を出た電気信号は、周囲の血液を通って第２の電線３１に伝搬する。
【００４５】
したがって、２重線の実施の形態を用いる場合、患者の皮膚に電極を設ける必要はない。これは、ガイドワイヤの操作がより複雑且つ難しくなるという犠牲の上で得られる。
【００４６】
第２の実施の形態によると、２個のコネクタを使用してガイドワイヤを接続する必要があるが、これらコネクタはいずれも、単純かつ低コストなワニ口タイプコネクタ等、任意の適したコネクタでありうる。
【図面の簡単な説明】
【図１】本発明に係るガイドワイヤの遠端の断面図である。
【図２】本発明の別の実施の形態によるガイドワイヤの遠端の断面図である。
【図３】患者に対して使用されている、本発明に係るシステムを示す概略図である。
【図４】本発明の単純な実施の形態の概略図である。
【図５】本発明と併せて用いる電子ユニットの一つの実施の形態のブロック図である。
【図６】図６Ａないし図６Ｅは、本発明に従って構成されたセンサ・ユニットによって提供される測定信号の復号動作を示す、相互に連結された時間チャートである。
【図７】本発明の２重線の実施の形態の図である。
【図８】患者に対して使用されている、図７の実施の形態を示す概略図である。
【図９】音響センサを備えた、本発明の一つの実施の形態を示す。
【図１０】音響センサを備えた一つの実施の形態のインピーダンス対周波数のチャートである。
【図１１】センサ及び関連回路の一つの実施の形態を示すブロック図である。
【図１】
0004699623.tif 000002
【図２】
0004699623.tif 000003
【図３】
0004699623.tif 000004
【図４】
0004699623.tif 000005
【図５】
0004699623.tif 000006
【図６】
0004699623.tif 000007
【図７】
0004699623.tif 000008
【図８】
0004699623.tif 000009
【図９】
0004699623.tif 000010
【図１０】
0004699623.tif 000011
【図１１】
0004699623.tif 000012